(57)【要約】      （修正有）【課題】ケーシングの左右の一方の側壁に中継部材が固定されたレンジフードを設置するにあたり、エルボ等の中継部材がケーシングの左右のどちらに固定された場合であっても、容易にレンジフードを略水平に保持することができ、ケーシングを取り付け場所の壁面に固定する際の作業性に優れたレンジフードを提供する。【解決手段】中継部材４を介して排気ダクトが接続されて、この排気ダクトを経て排気用吸い込み口から吸引された空気を排気するレンジフード１０で、手指にて把持される把持部８１が左右方向に横長に設けられた取っ手８０を備え、把持部が、正面視において、中継部材４がケーシング２の左側の側壁に取り付けられたときの重心の上方位置から、中継部材４が前記ケーシング２の右側の側壁に取り付けられたときの重心の上方位置に渡って存在する。【選択図】図３
2015045417.tif 000002
【特許請求の範囲】
【請求項１】
ケーシング内に排気用ファンが配設され、前記ケーシングの底壁に排気用吸い込み口が形成され、前記ケーシングの左右の何れか一方の側壁に中継部材が固定されて、前記ケーシングの後部に具備する係止部を後方の壁面に係止して設置され、前記中継部材を介して排気ダクトが接続されて、この排気ダクトを経て前記排気用吸い込み口から吸引された空気を排気するレンジフードであって、
手指にて把持される把持部が左右方向に横長に設けられた取っ手を備え、
前記把持部が、正面視において、前記中継部材が前記ケーシングの左側の側壁に取り付けられたときの重心の上方位置から、前記中継部材が前記ケーシングの右側の側壁に取り付けられたときの重心の上方位置に渡って存在することを特徴とするレンジフード。
【請求項２】
前記取っ手が、前記ケーシングの上面に、前記把持部となる部分を残して貫通口を穿設して形成されることを特徴と請求項１記載のレンジフード。
【請求項３】
前記ケーシング内に、前記貫通口の下方を覆うカバー体を備えることを特徴と請求項２記載のレンジフード。
【発明の詳細な説明】
【技術分野】
【０００１】
本発明は、ケーシング内に排気用ファンが配設され、前記ケーシングの底壁に排気用吸い込み口が形成され、前記ケーシングの左右の何れか一方の側壁に中継部材が固定されて、前記ケーシングの後部に具備する係止部を後方の壁面に係止して設置され、前記中継部材を介して排気ダクトが接続されて、この排気ダクトを経て前記排気用吸い込み口から吸引された空気を排気するレンジフードに関する。
【背景技術】
【０００２】
ケーシング内に排気用ファンが配設され、ケーシングの底壁に排気用吸い込み口が形成され、排気ダクトを経て排気用吸い込み口から吸引された空気を排気するレンジフードを設置する場合、ケーシングの後面に止着されたＬ金具とねじを用いて、ケーシングが設置場所の壁面に固定されることが多い。（特許文献１参照）
【０００３】
その場合、前記Ｌ金具に設けた係止部が係止する固定用の金具等を、予め設置場所の壁面の所定位置に型紙等を用いて固定しておき、先ず、前記Ｌ金具に設けた係止部を前記固定用の金具等に係止して、その後に、ねじ等によって前記Ｌ金具を設置場所の壁面に堅固に固定することで前記ケーシングつまりレンジフードの設置が容易に行える。
【０００４】
しかしながら、ケーシングの左右の何れか一方の側壁にエルボ等の中継部材が固定されて、ケーシングの後部に具備する係止部を後方の壁面に係止して設置するレンジフードの場合、以下のような課題がある。
【０００５】
ケーシングの左右の何れか一方の側壁にエルボ等の中継部材が固定されて、ケーシングの後部に具備する係止部を後方の壁面に係止して設置され、このエルボ等の中継部材を介して排気ダクトが接続されて、この排気ダクトを経て排気用吸い込み口から吸引された空気を排気するレンジフードの場合、ケーシングを設置場所の壁面に固定した後にエルボ等の中継部材をケーシングに取り付けようとすると、一般に、施工作業者の目の位置より高所に位置するケーシングにエルボ等の中継部材を取り付けることになるから作業性が悪いため、予めエルボ等の中継部材が左右の何れか一方の側壁に取り付けられ固定されたケーシングを、設置場所の壁面に固定することになる。
【０００６】
その場合、エルボ等の中継部材がケーシングの左右のどちらに固定されるかによって、ケーシングの左右の何れか一方の側壁に中継部材が固定されたレンジフードの重心が左右のどちらかにずれることになり、また、ケーシングの下方に排気の捕集率向上のためのフード部を備える場合には特に、レンジフードの寸法が大きいため、前記Ｌ金具に設けた係止部を前記固定用の金具等に係止するためには、作業者１人でレンジフードを略水平に保持しながら前記Ｌ金具に設けた係止部を前記固定用の金具等に係止することが困難であるため、作業者２人でレンジフードの壁面への固定作業を行う必要がある等、作業性の悪いものであった。
【先行技術文献】
【特許文献】
【０００７】
【特許文献１】特開２０１１−１７４６５号公報
【発明の概要】
【発明が解決しようとする課題】
【０００８】
本発明は、上記の課題を解決するものであり、ケーシングの左右の何れか一方の側壁に中継部材が固定されたレンジフードを設置するにあたって、エルボ等の中継部材がケーシングの左右のどちらに固定された場合であっても、作業者１人でレンジフードを略水平に保持することが容易であり、ケーシングを取り付け場所の壁面に固定する際の作業性に優れたレンジフードを提供すること目的とする。
【課題を解決するための手段】
【０００９】
上記の目的を達成するために、本発明のレンジフードは、ケーシング内に排気用ファンが配設され、前記ケーシングの底壁に排気用吸い込み口が形成され、前記ケーシングの左右の何れか一方の側壁に中継部材が固定されて、前記ケーシングの後部に具備する係止部を後方の壁面に係止して設置され、前記中継部材を介して排気ダクトが接続されて、この排気ダクトを経て前記排気用吸い込み口から吸引された空気を排気するレンジフードであって、手指にて把持される把持部が左右方向に横長に設けられた取っ手を備え、前記把持部が、正面視において、前記中継部材が前記ケーシングの左側の側壁に取り付けられたときの重心の上方位置から、前記中継部材が前記ケーシングの右側の側壁に取り付けられたときの重心の上方位置に渡って存在することを特徴としている。
【００１０】
本発明のレンジフードにおいては、前記取っ手が、前記ケーシングの上面に、前記把持部となる部分を残して貫通口を穿設して形成される構成とすることができる。
【００１１】
また、この場合、本発明のレンジフードにおいては、前記ケーシング内に、前記貫通口の下方を覆うカバー体を備えてもよい。
【発明の効果】
【００１２】
本発明のレンジフードは、手指にて把持される把持部が左右方向に横長に設けられた取っ手を備え、この把持部が、正面視において、中継部材がケーシングの左側の側壁に取り付けられたときの重心の上方位置から、中継部材が前記ケーシングの右側の側壁に取り付けられたときの重心の上方位置に渡って存在するので、ケーシングの左右の何れか一方の側壁に中継部材が固定されたレンジフードを設置するにあたって、エルボ等の中継部材がケーシングの左右のどちらに固定された場合であっても、把持部を把持することによってレンジフードを略水平に保ちながら例えば片手でレンジフードを吊持し、作業者１人でレンジフードを略水平に保持しながら、ケーシングを取り付け場所の壁面に固定することができ、作業性に優れたレンジフードとすることが可能となる。
【００１３】
また、本発明においては、ケーシングの上面に、把持部となる部分を残して貫通口を穿設するだけで、取っ手を容易に形成することができる。
【００１４】
なお、この場合、ケーシング内に、貫通口の下方を覆うカバー体を備えることで、取っ手を構成するために穿設した貫通口からケーシング内に異物が侵入することが防止でき、レンジフードの信頼性が向上する。
【図面の簡単な説明】
【００１５】
【図１】本発明によるレンジフードの構成を示す要部を断面とした正面図である。
【図２】本発明のレンジフードの後方の壁面への設置固定用治具を示す図であり、（ａ）は平面図、（ｂ）は正面図、（ｃ）は側面図である。
【図３】本発明のレンジフードの設置固定方法の一工程を示す斜視図である。
【図４】本発明のレンジフードのフランジ部の構成を示す図であって、（ａ）は平面図、（ｂ）は正面図、（ｃ）は側面図である。
【図５】本発明のレンジフードにおける、設置固定用治具とフランジ部の係合状態を示す図であって、（ａ）は平面図、（ｂ）は正面図、（ｃ）は側面図である。
【発明を実施するための形態】
【００１６】
以下、本発明の実施形態を示して、その特徴とするところをさらに詳しく説明する。
なお、一般に、レンジフードは台所等において、設置場所となる後方の壁面にケーシングが固定されて設置されることが多い。以下の実施形態では、レンジフードが後方の壁面にそのケーシングが固定されて設置される場合を例にとって説明する。
【００１７】
本発明の一実施形態におけるレンジフード１０は、図１に示すように、吸い込み部１ａを有する排気用ファン１と、排気用ファン１を駆動するモータ７と、排気用ファン１を収容するケーシング２とフード部３とを備えている。なお、この実施形態では、排気用ファン１として、遠心ファンが用いられている。
【００１８】
ケーシング２の下面側には、下方に開口した排気用吸い込み口２ａが形成されており、排気用ファン１の吸い込み部１ａが排気用吸い込み口２ａと連通している。
【００１９】
排気用ファン１の吹き出し部１ｂに中継部材としてのエルボ４の排気出口５は居室外に延長して敷設されたる排気ダクト６（図示せず）に適宜接続されている。排気用吸い込み口２ａから吸引された居室内の空気は、排気ダクト６を経て、居室外に排気される。
【００２０】
図１に示す本実施形態においては、エルボ４がケーシング２の右側の側壁に固定されているが、排気ダクト６の敷設状態に応じて、エルボ４が、ケーシング２の左右の何れか一方の側壁に固定できるように構成されている。つまり、エルボ４はケーシング２の左側の側壁にも固定可能である。
【００２１】
ケーシング２の後部の上方には、本体フランジ部Ｆを備え、本体フランジ部Ｆには、ケーシング２が固定される壁面に係止するための係止孔１２を具備する。なお、係止孔１２は、設置固定用治具３０に設けられた係止部３１に係止されるが、この点については後述する。
【００２２】
図１、図３に示すように、ケーシング２の上面には、取っ手８０を備え、取っ手８０において手指にて把持される把持部８１が左右方向に横長に設けられている。
この把持部８１は、正面視において、エルボ４がケーシング２の左側の側壁に取り付けられたときの重心の上方位置から、エルボ４がケーシング２の右側の側壁に取り付けられたときの重心の上方位置に渡って存在している。
【００２３】
台所等において、レンジフード１０の設置場所となる後方の壁面３４にケーシング２を固定する際には、予め後方の壁面３４に設置固定用治具３０を固定しておき、そして、ケーシング２の後部の上方に備える本体フランジ部Ｆの係止孔１２を設置固定用治具３０に設けた設置固定用治具３０の係止部３１に係止してケーシング２の仮止めを行い、その後ねじによりケーシング２が後方の壁面３４に堅固に固定される。
【００２４】
詳述すると、設置固定用治具３０は、図２（ａ）、（ｂ）、（ｃ）に示すように、本体フランジ部Ｆの係止部（この実施形態では係止孔）１２（図１、図３、図４）と係合して、レンジフード１０のケーシング２を係止・保持するための一対の係止部（この実施形態では切り起こし片）３１と、設置固定用治具３０を後方の壁面３４に固定するための治具固定手段（治具固定ねじ）３２を通過させる治具固定用孔３３とを備えている。
【００２５】
次に、このレンジフード１０を設置する方法について説明する。
図３に示すように、後方の壁面３４に固定された設置固定用治具３０の一対の係止部（切り起こし片）３１を、レンジフード１０のケーシング２の後部上端の本体フランジ部Ｆに設けられた一対の係止部（この実施形態では係止孔）１２（図１、図４参照）に挿通させてレンジフード１０のケーシング２を後方の壁面３４に仮止めするのであるが、ケーシング２の後方の壁面３４への仮止めは、エルボ４をケーシング２の左右何れか一方の側壁に固定した状態で行う。これは、ケーシング２を後方の壁面３４に固定または仮止めした後にエルボ４をケーシング２に取り付けようとすると、一般に、施工作業者の目の位置より高所に位置するケーシング２にエルボ４を取り付けることになり作業性が悪いためである。
【００２６】
その際、本実施形態のようにエルボ４がケーシング２の右側の側壁に固定されている場合には、把持部８１の右側８Ｒを手指にて把持すればエルボ４がケーシング２の右側の側壁に固定された状態で、レンジフード１０を左右方向に略水平に保持しながら片手でレンジフード１０を吊持することができるので、作業者一人にて、容易にこの仮止めを行うことができる。
【００２７】
なお、エルボ４がケーシング２の左側の側壁に固定されている場合には、把持部８１の左側８Ｌを手指にて把持すればエルボ４がケーシング２の左側の側壁に固定された状態で、レンジフード１０を左右方向に略水平に保持しながら片手でレンジフード１０を吊持することができるので、作業者一人にて、容易にこの仮止めを行うことができる。
【００２８】
そして、レンジフード１０のケーシング２を仮止めした状態において、レンジフード１０の本体フランジ部Ｆに穿設された本体固定用孔８（図４）に本体固定用ねじ９（図示せず）を挿通してレンジフード１０を後方の壁面３４に固定する。
【００２９】
説明を加えると、設置固定用治具３０は、図２（ａ）、（ｂ）、（ｃ）に示すように、レンジフード１０の本体フランジ部Ｆの係止部（この実施形態では係止孔）１２と係合して、レンジフード１０を係止・保持するための一対の係止部（この実施形態２では切り起こし片）３１と、設置固定用治具３０を後方の壁面３４に固定するための治具固定手段（治具固定ねじ）（図示せず）を通過させる治具固定用孔３３と、レンジフード１０を固定するための本体固定ネジを通過させるための長孔３６を備えている。
【００３０】
なお、レンジフード１０のケーシング２の後部上端に具備するフランジ部Ｆは、図４（ａ）、（ｂ）、（ｃ）に示すように、垂直部分である本体フランジ１１と、水平部分である、ケーシング２に接続固定される固定部１３とを備えている。そして、固定部１３に対して垂直に曲折された本体フランジ１１には、上述の設置固定用治具３０に形成された係止部（切り起こし片）３１と係合して、レンジフード１０を係止・保持させる一対の係止部（この実施形態では係止孔）１２と、設置固定用治具３０を後方の壁面３４に固定する本体固定用ねじ９のねじ頭９ａ（図示せず）と、本体フランジ１１とが干渉しないように、ねじ頭９ａを逃がすためのねじ頭逃がし窓１４が形成されている。
【００３１】
また、図５（ａ）、（ｂ）、（ｃ）は、上述のように構成された設置固定用治具３０を、レンジフード１０の本体フランジ部Ｆと係合させた状態を示す図である。設置固定用治具３０を介して、レンジフード１０のケーシング２を後方の壁面３４に固定するにあたっては、設置固定用治具３０を、治具固定ねじ３２（図示せず）によって後方の壁面３４に固定した後、図１５（ａ）、（ｂ）、（ｃ）に示すように、設置固定用治具３０の一対の係止部３１を、レンジフード１０の本体フランジ１１に設けられた一対の係止孔１２に挿通させてレンジフード１０を保持する。
【００３２】
そして、レンジフード１０の隣接する吊と棚等との水平方向の位置を調整した後、本体フランジ１１に穿設された本体固定用孔８および設置固定用治具３０に形成された長孔３６に本体固定用ねじ９（図示せず）を挿通してレンジフード１０のケーシング２を後方の壁面３４に固定する。
【００３３】
これにより、レンジフード１０が、本体フランジ１１と後方の壁面３４との間に、設置固定用治具３０を挟み込んで、後方の壁面３４に堅固に設置固定される。
【００３４】
〔別実施形態〕
特に図示しないが、以下に別実施形態を列挙する。
【００３５】
（１）上記実施形態のように、取っ手８０が、ケーシング２の上面に突出して備える形態とは異なり、取っ手８０が、ケーシング２の上面に、把持部８１となる部分を残して貫通口８２を穿設して形成されるように構成してもよい。このように構成することで、ケーシング２の上面に、把持部８１となる部分を残して貫通口８２を穿設するだけで、取っ手８０を容易に形成することができる。
【００３６】
そしてこの場合、ケーシング２内に、貫通口８２の下方を覆うカバー体８３を備えるように構成するとよい。ケーシング２内に、貫通口８２の下方を覆うカバー体８３を備えることで、取っ手８０を構成するために穿設した貫通口８２からケーシング２内にゴミ等の異物が侵入することが防止でき、レンジフード１０の信頼性が向上する。
【００３７】
（２）エルボ（中継部材）４がケーシング２の左側の側壁に取り付けられたときの、正面視における重心の上方位置を示す表示部を把持部の左側８Ｌ近辺に設けたり、エルボ（中継部材）４がケーシング２の右側の側壁に取り付けられたときの、正面視における重心の上方位置を示す表示部を把持部の右側８Ｒ近辺に設けたりしてもよい。こ９のようにすることで、レンジフード１０のケーシング２を後方の壁面３４に固定する際の作業時間が短縮できる。
【００３８】
なお、本発明は上記の実施形態に限定されるものではなく、例えば、設置固定用治具３０に設けられる係止部３１や、フランジ本体１１に設けられる係止部１２の構成などをはじめ、種々の構成要素に関し、本発明の範囲内において種々の変形を加えることが可能である。
【符号の説明】
【００３９】
１        排気用ファン
１ａ      排気用ファンの吸い込み部
１ｂ      排気用ファンの吹き出し部
２        ケーシング
２ａ      ケーシングの排気用吸い込み口
３        フード部
４        エルボ（中継部材）
５        エルボ（中継部材）の排気出口
６        排気ダクト
７        モータ
８        本体固定用孔
９        本体固定用ねじ
９ａ      ねじ頭
１０      レンジフード
１１      レンジフードのケーシングの後部上端の本体フランジ
１２      本体フランジ部の係止部（係止孔）
１３      固定部
１４      ねじ頭逃がし窓
３０      設置固定用治具
３１      設置固定用治具の係止部（切り起こし片）
３２      治具固定手段（治具固定ねじ）
３３      治具固定用孔
３４      後方の壁面
３６      長孔
８０      取っ手
８１      把持部
８２      貫通口
８３      カバー体
８Ｒ    把持部の右側
８Ｌ    把持部の左側
Ｆ        フランジ部
【図１】
2015045417.tif 000003
【図２】
2015045417.tif 000004
【図３】
2015045417.tif 000005
【図４】
2015045417.tif 000006
【図５】
2015045417.tif 000007